(57)【要約】【課題】コンテンツの著作権保護を実現しつつもコンテンツの編集を行うことができ、さらにコンテンツを暗号化鍵とは別の場所に格納しているにもかかわらず対応関係をとることが必要である。【解決手段】鍵記録媒体にはコンテンツを暗号化する暗号化鍵とコンテンツを特定するコンテンツ指定子と他の暗号化鍵情報との対応を示す暗号化鍵グルーピング情報を含み、グルーピングされた暗号化鍵情報の中では１つのみの暗号化鍵情報の中に正当な暗号化鍵を含む。【選択図】図４
2006197303.tif 000002
【特許請求の範囲】
【請求項１】
複数の暗号化鍵情報が格納された鍵記録媒体であって、
前記暗号化鍵情報はコンテンツファイルを暗号化するために用いた暗号化鍵と、
コンテンツファイルを特定するためにコンテンツファイルに一意に付与されたコンテンツ指定子と、
前記暗号化鍵情報以外の他の暗号化鍵情報との関連を示す暗号化鍵グルーピング情報を含み、
前記暗号化鍵グルーピング情報でグルーピングされた１つ以上の前記暗号化鍵情報は暗号化鍵情報グループを成し、
前記暗号化鍵情報グループは、正当な暗号化鍵を持った１つの暗号化鍵情報と、無効値の暗号化鍵を持った複数の暗号化鍵情報から構成され、
前記暗号化鍵情報グループの各々の暗号化鍵情報に含まれるコンテンツ指定子で特定される全てのコンテンツファイルは前記暗号化鍵情報グループの中の１つの暗号化鍵情報に含まれる正当な暗号化鍵で暗号化されている
ことを特徴とする鍵記録媒体。
【請求項２】
前記鍵記録媒体には、前記コンテンツ指定子で特定される複数のコンテンツファイルのうち全てあるいは一部が格納されていることを特徴とする請求項１記載の鍵記録媒体。
【請求項３】
前記コンテンツ指定子は前記コンテンツファイル内に含まれることを特徴とする請求項１記載の鍵記録媒体。
【請求項４】
前記暗号化鍵情報グループに含まれる複数の暗号化鍵情報は前記暗号化鍵グルーピング情報により順序付けてグルーピングされおり、
順序付けられた先頭の暗号化鍵情報にのみ正当な暗号化鍵を持ち、先頭の暗号化鍵情報以外の暗号化鍵情報には暗号化鍵として無効値を持ち、
前記暗号化鍵情報グループの各々の暗号化鍵情報に含まれるコンテンツ指定子で特定される全てのコンテンツファイルは前記暗号化鍵情報グループの先頭の暗号化鍵情報に含まれる正当な暗号化鍵で暗号化されている
ことを特徴とする請求項１記載の鍵記録媒体。
【請求項５】
前記暗号化鍵情報には、含まれる暗号化鍵の有効／無効を示す暗号化鍵有効ビットをさらに持ち、
前記暗号化鍵情報グループに含まれる複数の暗号化鍵情報のうち１つのみの暗号化鍵情報の暗号化鍵有効ビットは有効に設定され正当な暗号化鍵を持ち、
前記暗号化鍵情報グループに含まれるそれ以外の暗号化鍵情報の暗号化鍵有効ビットは無効に設定され無効な暗号化鍵を持ち、
前記暗号化鍵情報グループの各々の暗号化鍵情報に含まれるコンテンツ指定子で特定される全てのコンテンツファイルは暗号化鍵情報の暗号化鍵有効ビットが有効に設定されている暗号化鍵情報に含まれる正当な暗号化鍵で暗号化されている
ことを特徴とする請求項１記載の鍵記録媒体。
【請求項６】
前記暗号化鍵グルーピング情報は、次の暗号化鍵情報へのポインタを持つことにより片方向リスト構造で暗号化鍵情報内に保持することを特徴とする請求項４記載の鍵記録媒体。
【請求項７】
前記暗号化鍵グルーピング情報は、前後の暗号化鍵情報へのポインタを持つことにより両方向リスト構造で暗号化鍵情報内に保持することを特徴とする請求項４記載の鍵記録媒体。
【請求項８】
複数のコンテンツファイルを格納したコンテンツ記録媒体と、複数の暗号化鍵情報を格納した鍵記録媒体にアクセスして前記コンテンツファイルを再生する再生装置であって、
前記コンテンツ記録媒体に格納されているコンテンツファイルから再生を行うコンテンツファイルを特定するコンテンツファイル特定手段と、
前記コンテンツファイルに一意に付与されたコンテンツ指定子を元に前記コンテンツファイルと対応付けられている暗号化鍵情報を特定するための暗号化鍵情報特定手段と、
特定された前記暗号化鍵情報から暗号化鍵を特定する暗号化鍵特定手段と、
特定された前記暗号化鍵を用いて特定された前記コンテンツファイルを復号する復号手段と、
復号されたコンテンツファイルを再生する再生手段から構成され、
前記暗号化鍵情報特定手段は、鍵記録媒体内に格納された暗号化鍵情報から前記コンテンツ指定子と一致するコンテンツ指定子を持つ暗号化鍵情報を抽出し、
前記暗号化鍵特定手段は、前記暗号化鍵情報特定手段が抽出した暗号化鍵情報に含まれる他の暗号化鍵情報との関連を示す暗号化鍵グルーピング情報を用いて前記暗号化鍵情報が含まれる暗号化鍵情報グループを特定し、
前記暗号化鍵情報グループに含まれる１つ以上の暗号化鍵情報から正当な暗号化鍵を特定することを特徴とする、再生装置。
【請求項９】
複数の前記コンテンツファイルのうち一部は前記鍵記録媒体に格納されており、前記再生装置は前記記録媒体に格納されているコンテンツファイルから再生を行うコンテンツファイルを特定するコンテンツファイル特定手段と、前記コンテンツファイルを前記暗号化鍵で復号する復号手段を含むことを特徴とする、請求項８記載の再生装置。
【請求項１０】
前記コンテンツ指定子は前記コンテンツファイル内に含まれ、前記暗号化鍵情報特定手段は前記コンテンツファイル内の前記コンテンツ指定子をもとに対応付けられている暗号化鍵情報を特定することを特徴とする、請求項８記載の再生装置。
【請求項１１】
前記暗号化鍵情報グループに含まれる複数の暗号化鍵情報は前記暗号化鍵グルーピング情報により順序付けてグルーピングされており、前記暗号化鍵特定手段は前記暗号化鍵情報グループの先頭の暗号化鍵情報に含まれる暗号化鍵を正当な暗号化鍵として特定することを特徴とする、請求項８記載の再生装置。
【請求項１２】
前記暗号化鍵情報には、含まれる暗号化鍵の有効／無効を示す暗号化鍵有効ビットをさらに持ち、前記暗号化鍵情報グループに含まれる暗号化鍵情報の１つの暗号化鍵有効ビットのみが有効に設定され、前記１つの暗号化鍵有効ビット以外は無効に設定され、前記暗号化鍵特定手段は前記暗号化鍵情報グループに含まれる暗号化鍵情報の暗号化鍵有効ビットが有効に設定されている暗号化鍵情報に含まれる暗号化鍵を正当な暗号化鍵として特定することを特徴とする、請求項８記載の再生装置。
【請求項１３】
複数のコンテンツファイルを格納したコンテンツ記録媒体と、複数の暗号化鍵情報を格納した鍵記録媒体にアクセスして前記コンテンツファイルを再生する再生装置であって、
前記鍵記録媒体に格納されている暗号化鍵情報から再生を行うコンテンツの暗号化鍵情報を特定する暗号化鍵情報特定手段と、
前記暗号化鍵情報から暗号化鍵を特定する暗号化鍵特定手段と、
特定された暗号化鍵情報に対応付けられたコンテンツ指定子を元に前記コンテンツ記録媒体に格納されているコンテンツファイルから再生を行うコンテンツファイルを特定するコンテンツファイル特定手段と、
特定された前記暗号化鍵を用いて特定された前記コンテンツファイルを復号する復号手段と、
復号されたコンテンツファイルを再生する再生手段から構成され、
前記暗号化鍵情報特定手段は、特定した暗号化鍵情報から前記コンテンツ指定子を抽出し、
前記暗号化鍵特定手段は、前記暗号化鍵情報特定手段が特定した暗号化鍵情報に含まれる他の暗号化鍵情報との関連を示す暗号化鍵グルーピング情報を用いて前記暗号化鍵情報が含まれる暗号化鍵情報グループを特定し、
前記暗号化鍵情報グループに含まれる１つ以上の暗号化鍵情報から正当な暗号化鍵を特定することを特徴とする、再生装置。
【発明の詳細な説明】
【技術分野】
【０００１】
本発明は、コンテンツファイルが記録されたコンテンツ記録媒体と、当該コンテンツファイルを暗号化するのに用いた暗号鍵が記録された鍵記録媒体にアクセスし再生する再生装置、記録媒体に関する。
【背景技術】
【０００２】
近年、電子コンテンツ配信などのデジタルコンテンツを扱う事業が拡大しており、有料のデジタルコンテンツを流通させる技術に対する期待が高まっている。電子コンテンツ配信では、ユーザはインターネットなどのネットワークを通じてコンテンツを購入し、自身のパソコンなどにコンテンツデータをダウンロードし視聴が可能となる。購入したコンテンツデータは、ほとんどの場合パソコンから自由にコピーすることはできず、暗号化などの何らかのコピー防止機構が組み込まれている。
【０００３】
音楽コンテンツや映像コンテンツなどを購入した場合は、それをリムーバブルの記録媒体に記録し、パソコンではなくポータブル機器で視聴するスタイルも一般的である。この際に用いられる記録媒体として代表的なのが半導体メモリカードである。
【０００４】
半導体メモリカードは、フラッシュＡＴＡカードやＳＤメモリカードなどと呼ばれるものが知られている。これら半導体メモリカードは、フラッシュメモリ（ＥＥＰＲＯＭ）と呼ばれる半導体デバイスを内蔵しており、ＭＤ、ＣＤ−Ｒ等と比較して、データの高速書き込みが可能であり、膨大なコンテンツデータの格納を短時間で完遂することができる。
【０００５】
購入した音楽コンテンツや映像コンテンツを半導体メモリカードに格納する場合も同様に、暗号化などの不正コピー防止の手段がとられている。半導体メモリカードでのコンテンツの著作権保護を実現する手段の１つとしては次のようなものが提案されている（特許文献１参照）。半導体メモリカード内に、接続された機器の正当性が認証された場合のみ、当該機器によりアクセスが可能となるプロテクト領域と、機器の正当性が認証されるか否かに関わらず、当該機器によりアクセスが可能な非プロテクト領域の２つを備える。コンテンツデータは暗号化され、非プロテクト領域に格納し、暗号化に用いた暗号化鍵はプロテクト領域に格納する。これにより、正当な機器でなければ暗号化鍵を取得することができないため不正なコピーが防止できる。
【０００６】
また、暗号化された状態のままコンテンツを半導体メモリカードに格納した場合、正当に購入したユーザであってもコンテンツを自由に編集ことができない。即ちコンテンツが暗号化されている場合、コンテンツの一部を削除したり分割したりといった編集が困難となる。これに対しては、コンテンツを復号可能な最小単位であるフレームにわけ各々を個別に暗号化し、さらに複数のフレームを１まとまりとしてオブジェクトを構成し、オブジェクトの先頭終端部分に無効部分を持つことができる方法が提案されている（詳細は特許文献２を参照）。
【特許文献１】特許第３４２５１１９号公報
【特許文献２】特開２００１−２４９６９５号公報
【発明の開示】
【発明が解決しようとする課題】
【０００７】
しかしながら、上記の従来技術には次のような問題点がある。
【０００８】
半導体メモリカードは容量に対して高価なため、コンテンツデータは半導体メモリカードとは別の記録媒体に格納したいという要望も存在するが、従来の技術は、暗号化されたコンテンツと暗号化に用いた暗号化鍵が同じ記録媒体に格納されていることが前提となっているため、この要望に応じることができない。この場合例えば１対の暗号化鍵と暗号化コンテンツファイルに対して一意に割り当てられたコンテンツ指定子を持たせることにより、それぞれが別の記録媒体に格納されていても対応付けを行うことも可能であるが、その場合、編集後のコンテンツは編集前のコンテンツとは異なるため、コンテンツ指定子の一意性を保つことができず、結果的に編集を行うことが困難であるという課題がある。
【０００９】
本発明では上記問題点に鑑み、コンテンツの著作権保護を実現しつつもコンテンツの編集を行うことができ、さらにコンテンツを暗号化鍵とは別の場所に格納しているにもかかわらず対応関係をとることが可能な暗号化鍵を格納した鍵記録媒体及び前記コンテンツの再生装置を提供する。
【課題を解決するための手段】
【００１０】
本発明による鍵記録媒体は、複数の暗号化鍵情報が格納された鍵記録媒体であって、前記暗号化鍵情報はコンテンツファイルを暗号化するために用いた暗号化鍵と、コンテンツファイルを特定するためにコンテンツファイルに一意に付与されたコンテンツ指定子と、前記暗号化鍵情報以外の他の暗号化鍵情報との関連を示す暗号化鍵グルーピング情報を含み、前記暗号化鍵グルーピング情報でグルーピングされた１つ以上の前記暗号化鍵情報は暗号化鍵情報グループを成し、前記暗号化鍵情報グループは、正当な暗号化鍵を持った１つの暗号化鍵情報と、無効値の暗号化鍵を持った複数の暗号化鍵情報から構成され、前記暗号化鍵情報グループの各々の暗号化鍵情報に含まれるコンテンツ指定子で特定される全てのコンテンツファイルは前記暗号化鍵情報グループの中の１つの暗号化鍵情報に含まれる正当な暗号化鍵で暗号化されていることを特徴とする。
【００１１】
また本発明による再生装置は、複数のコンテンツファイルを格納したコンテンツ記録媒体と、複数の暗号化鍵情報を格納した鍵記録媒体にアクセスして前記コンテンツファイルを再生する再生装置であって、前記コンテンツ記録媒体に格納されているコンテンツファイルから再生を行うコンテンツファイルを特定するコンテンツファイル特定手段と、前記コンテンツファイルに一意に付与されたコンテンツ指定子を元に前記コンテンツファイルと対応付けられている暗号化鍵情報を特定するための暗号化鍵情報特定手段と、特定された前記暗号化鍵情報から暗号化鍵を特定する暗号化鍵特定手段と、特定された前記暗号化鍵を用いて特定された前記コンテンツファイルを復号する復号手段と、復号されたコンテンツファイルを再生する再生手段から構成され、前記暗号化鍵情報特定手段は、鍵記録媒体内に格納された暗号化鍵情報から前記コンテンツ指定子と一致するコンテンツ指定子を持つ暗号化鍵情報を抽出し、前記暗号化鍵特定手段は、前記暗号化鍵情報特定手段が抽出した暗号化鍵情報に含まれる他の暗号化鍵情報との関連を示す暗号化鍵グルーピング情報を用いて前記暗号化鍵情報が含まれる暗号化鍵情報グループを特定し、前記暗号化鍵情報グループに含まれる１つ以上の暗号化鍵情報から正当な暗号化鍵を特定することを特徴とする。
【発明の効果】
【００１２】
本発明による鍵記録媒体及び再生方法を用いれば、コンテンツの著作権保護を実現しつつもコンテンツの編集を行うことができ、さらにコンテンツを暗号化鍵とは別の場所に格納しているにもかかわらず対応関係をとることが可能となる。
【発明を実施するための最良の形態】
【００１３】
以下、本発明の鍵記録媒体及び再生装置について、図を用いて説明する。
【００１４】
（実施の形態１）
図１は本発明の実施の形態１における鍵記録媒体を示している。
【００１５】
図１において、鍵記録媒体は暗号化鍵１〜５、コンテンツ指定子１１〜１５、暗号化鍵グルーピング情報１〜５を格納している。暗号化鍵１、コンテンツ指定子１１、暗号化鍵グルーピング情報１をまとめて暗号化鍵情報１を構成しており、同様に暗号化鍵２、コンテンツ指定子１２暗号化鍵グルーピング情報２をまとめて暗号化鍵情報２を構成しており、以下同様である。暗号化鍵情報１〜３は、暗号化鍵グルーピング情報１〜３によって１つのグループになっており、暗号化鍵情報グループ１を構成している。同様に暗号化鍵情報４〜５は暗号化鍵グルーピング情報４〜５によって１つのグループになっており、暗号化鍵情報グループ２を構成している。暗号化鍵１〜５は、正当性が認証された機器によってのみ取得可能な秘密鍵で暗号化されているため、不正に暗号化鍵を得ることは不可能である。
【００１６】
図２は前記鍵記録媒体に格納された暗号化鍵によって暗号化されたコンテンツファイルを格納しているコンテンツ記録媒体を示している。コンテンツ記録媒体は、通常は容量単価の安いハードディスクなどの大容量記録媒体が用いられる。
【００１７】
図２において、コンテンツファイル１〜３は暗号化されたコンテンツのファイルであり、コンテンツ指定子２１〜２３はコンテンツファイルに一意に割り当てられたIDである。すなわち、コンテンツファイル１にはコンテンツ指定子２１が割り当てられており、コンテンツファイル２にはコンテンツ指定子２２が割り当てられており、以下同様である。
【００１８】
コンテンツ指定子は世の中にある全てのコンテンツについて一意に割り当てられていなければならない。コンテンツ指定子の割り当て方法については本件の範囲を超えるのでここでは割愛する。
【００１９】
図３は前記鍵記録媒体と前記コンテンツ記録媒体に格納された実際の例を示している。鍵記録媒体には暗号化鍵Ｋ１とコンテンツ指定子２４８７０００１が１つ目の暗号化鍵情報として記録され、暗号化鍵Ｋ２とコンテンツ指定子２４８７０００２が２つ目の暗号化情報として記録され、以下同様に記録されている。ここでは暗号化鍵グルーピング情報は省略している。コンテンツ記録媒体にはコンテンツ指定子２４８７０００１が割り当てられたコンテンツファイル１と、コンテンツ指定子２４８７０００３が割り当てられたコンテンツファイル２と、コンテンツ指定子２４８７０００４が割り当てられたコンテンツファイル３等が記録されている。コンテンツファイルは、割り当てられたコンテンツ指定子と同じコンテンツ指定子が含まれている暗号化鍵情報内で指定される暗号化鍵で暗号化されている。すなわちコンテンツファイル１は同じコンテンツ指定子を持つ暗号化鍵情報内の暗号化鍵であるＫ１で暗号化され、コンテンツファイル２は同じコンテンツ指定子を持つ暗号化鍵情報内の暗号化鍵であるＫ３で暗号化され、コンテンツファイル３は同様にＫ４で暗号化されている。暗号化鍵Ｋ３は図３では暗号化しているコンテンツファイルが存在していない。このように暗号化鍵だけが存在し対応するコンテンツファイルが存在しない場合があっても構わない。同様にコンテンツファイルだけが存在し対応する暗号化鍵が存在しない場合があっても構わない。
【００２０】
図４は暗号化鍵グルーピング情報によって暗号化鍵がグルーピングされた場合の実際の例を示している。鍵記録媒体には暗号化鍵Ｋ１とコンテンツ指定子２４８７０００１と暗号化鍵グルーピング情報として１が暗号化鍵情報インデックス１の暗号化鍵情報として記録され、暗号化鍵情報インデックス２以降も同様に記録されている。この例では同じ暗号化鍵グルーピング情報の値をもつものが１つのグループを形成していると定義しており、暗号化鍵情報インデックス１〜３の暗号化鍵情報が１つのグループ、暗号化鍵情報インデックス４と６の暗号化鍵情報が１つのグループ、暗号化鍵情報インデックス５の暗号化鍵情報が１つのグループを形成している。暗号化鍵がＩｎｖａｌｉｄとなっているものについては、同じグループ内の別の暗号化鍵情報に含まれる暗号化鍵を使用することを示している。すなわち暗号化鍵情報インデックス２と３の暗号化鍵は、同じグループに属している暗号化鍵情報インデックス１の暗号化鍵情報に含まれる暗号化鍵Ｋ１として格納されており、暗号化鍵情報インデックス６の暗号化鍵は、暗号化鍵情報インデックス４の暗号化鍵情報に含まれる暗号化鍵Ｋ２として格納されている。コンテンツファイルは、割り当てられたコンテンツ指定子と同じコンテンツ指定子が含まれている暗号化鍵情報内で指定される暗号化鍵で暗号化されている。すなわちコンテンツファイル１は同じコンテンツ指定子を持つ暗号化鍵情報インデックス１の暗号化鍵情報内の暗号化鍵であるＫ１で暗号化されている。またコンテンツファイル２は同じコンテンツ指定子を持つ暗号化鍵情報インデックス３の暗号化鍵情報内の暗号化鍵がＩｎｖａｌｉｄであるため、同じグループ内の別の暗号化鍵情報である暗号化鍵情報インデックス１の暗号化鍵情報内の暗号化鍵であるＫ１で暗号化されている。
【００２１】
なお、暗号化鍵がＩｎｖａｌｉｄとなっているものについては、同じグループ内の別の暗号化鍵情報に含まれる暗号化鍵を使用するものとしたが、Ｉｎｖａｌｉｄではない正しい暗号化鍵が格納されている暗号化鍵情報は、暗号化鍵情報インデックスが最も小さいものであるとしても良く、あるいはまた最も大きいものであるとしても良く、さらにどのような形であっても同じグループ内のどの暗号化鍵情報に正しい暗号化鍵が格納されているかを予め決めておいても良い。
【００２２】
またさらになお、図５に示すように、暗号化鍵情報の中に暗号化鍵有効ビットを含め、同じグループに属す暗号化鍵情報の中で、正しい暗号化鍵が格納されている暗号化鍵情報の暗号化鍵有効ビットには１を設定し、それ以外の暗号化鍵有効ビットには０を指定するものとしても良い。図５においては、暗号化鍵情報インデックス１〜３の暗号化鍵情報のうち暗号化鍵有効ビットが１になっている暗号化鍵情報インデックス２の暗号化鍵情報に正しい暗号化鍵が格納されており、暗号化鍵情報インデックス４と６の暗号化鍵情報においては暗号化鍵有効ビットが１になっている暗号化鍵情報インデックス４の暗号化鍵情報に正しい暗号化鍵が格納されており、暗号化鍵情報インデックス５の暗号化鍵情報においては暗号化鍵有効ビットが１になっている暗号化鍵情報インデックス５の暗号化鍵情報に正しい暗号化鍵が格納でされている。
【００２３】
またさらになお、図６に示すように、暗号化鍵グルーピング情報として次の暗号化鍵情報インデックスを持つこととし、リンク形式で暗号化鍵情報のグループが定義されるものとしても良い。この場合には、リンクの終端には０が格納されている。またこの場合には、リンクの先頭の暗号化鍵情報に正しい暗号化鍵が格納されているとしても良く、リンクの終端の暗号化鍵情報に正しい暗号化鍵が格納されているとしても良く、さらにどのような形であってもリンク上のどの暗号化鍵情報に正しい暗号化鍵が格納されているかを予め決めておいても良い。図６においては、リンクで連結されている暗号化鍵情報インデックス１〜３の暗号化鍵情報がグループをなしており、暗号化鍵情報インデックス４と６の暗号化鍵情報がグループをなしており、暗号化鍵情報インデックス５の暗号化鍵情報がグループをなしている。またリンクの先頭である暗号化鍵インデックス１、４、５の暗号化鍵情報に正しい暗号化鍵が格納されている。
【００２４】
またさらになお、図７に示すように、暗号化鍵グルーピング情報として次の暗号化鍵情報インデックスと前の暗号化鍵情報インデックスを持つこととし、双方向リンク形式で暗号化鍵情報のグループが定義されるものとしても良い。この場合には、リンクの先端の暗号化鍵情報の前のインデックスと、終端の暗号化鍵情報の次のインデックスには０が格納されている。またこの場合には、リンクの先頭の暗号化鍵情報に正しい暗号化鍵が格納されているとしても良く、リンクの終端の暗号化鍵情報に正しい暗号化鍵が格納されているとしても良く、さらにどのような形であってもリンク上のどの暗号化鍵情報に正しい暗号化鍵が格納されているかを予め決めておいても良い。図７においては、リンクで連結されている暗号化鍵情報インデックス１〜３の暗号化鍵情報がグループをなしており、暗号化鍵情報インデックス４と６の暗号化鍵情報がグループをなしており、暗号化鍵情報インデックス５の暗号化鍵情報がグループをなしている。またリンクの先頭である暗号化鍵インデックス１、４、５の暗号化鍵情報に正しい暗号化鍵が格納されている。
【００２５】
またさらになお、コンテンツファイルはコンテンツ記録媒体に格納しているとしたが、鍵記録媒体にコンテンツも記録しても構わない。コンテンツはどこに記録しても良く、本実施の形態に限定されるものではない。
【００２６】
またさらになお、暗号化鍵情報にはコンテンツの動作を規定するユーセージルールを含めても良い。ユーセージルールは例えばコンテンツのコピー制限やムーブ制限、再生回数などを規定するもので、コンテンツのサービスによって定義される規定項目である。この場合、同じ暗号化鍵情報グループではその中に含まれる１つの暗号化鍵情報のみに正当なユーセージルールが含まれており、同じ暗号化鍵情報グループに属する暗号化鍵情報で前記ユーセージルールを共有するものとしても良い。
【００２７】
（実施の形態２）
図８は本発明の実施の形態２における再生装置を示している。
【００２８】
図８において、８０１は再生装置、８０２は鍵記録媒体、８０３はコンテンツ記録媒体である。
【００２９】
８１１は再生手段、８１２は復号手段、８１３はコンテンツファイル特定手段、８１４は暗号化鍵特定手段、８１５は暗号化鍵情報特定手段、８１６は暗号化鍵情報、８１７はコンテンツファイルである。
【００３０】
鍵記録媒体８０２とコンテンツ記録媒体８０３は本発明の実施の形態１で説明したいずれの形態であっても構わない。ここでは代表として図４を用いて再生装置の動作を説明する。
【００３１】
動作の流れを図１０にフローチャートで示す。まず、コンテンツファイル特定手段８１３はコンテンツ記録媒体８０３に記録されているコンテンツファイルの中から再生すべきコンテンツファイルを特定する（S１００１）。この方法としては、コンテンツファイルの中に格納されているタイトル情報やアルバム情報などからユーザが選択する方法が考えられる。ここではコンテンツファイル２を特定したとする。コンテンツファイル特定手段８１３では特定したコンテンツファイルに対応付けられているコンテンツ指定子を取り出す（S１００２）。図４の例ではコンテンツ指定子２４８７０００３が対応付けられている。
【００３２】
次に暗号化鍵情報特定手段８１５は、コンテンツファイル特定手段８１３からコンテンツ指定子２４８７０００３を受け取り、鍵記録媒体８０２内に格納されている暗号化鍵情報のうちコンテンツ指定子が一致する暗号化鍵情報インデックス３の暗号化鍵情報を特定する（S１００３）。
【００３３】
次に暗号化鍵特定手段８１４は、暗号化鍵情報インデックス３の暗号化鍵情報に含まれる暗号化鍵がＩｎｖａｌｉｄであることから、暗号化鍵グルーピング情報を用いて同じ暗号化鍵情報グループに含まれる暗号化鍵情報のうち、暗号化鍵がＩｎｖａｌｉｄでないものを検索する（S１００４、S１００５）。この場合は暗号化鍵グルーピング情報の値が一致する、暗号化鍵情報インデックス１から３が暗号化鍵情報グループを構成しており、そのうちＩｎｖａｌｉｄでない暗号化鍵を保持している暗号化鍵情報インデックス１の暗号化鍵Ｋ１を特定し、復号手段８１２に暗号化鍵Ｋ１を送る。もし暗号化鍵情報インデックス３の暗号化鍵情報に含まれる暗号化鍵がＩｎｖａｌｉｄではない場合には、それは暗号化鍵を示しており、同じ暗号化鍵情報グループの暗号化鍵を検索する必要はない。
【００３４】
復号手段８１２はコンテンツファイル特定手段８１３から特定した前記コンテンツファイルを取得し、暗号鍵特定手段８１４から受け取った暗号化鍵Ｋ１を用いて復号する（S１００６）。復号したコンテンツファイルは再生手段８１１に送られ再生される（S１００７）。
【００３５】
なお、本実施の形態の説明では例として図４を用いたが、実施の形態１で説明したどの形態の鍵記録媒体を用いた場合であっても同様である。
【００３６】
（実施の形態３）
図９は本発明の実施の形態３における再生装置を示している。
【００３７】
図９において、９０１は再生装置、９０２は鍵記録媒体、９０３はコンテンツ記録媒体である。
【００３８】
９１１は再生手段、９１２は復号手段、９１３はコンテンツファイル特定手段、９１４は暗号化鍵特定手段、９１５は暗号化鍵情報特定手段、９１６は暗号化鍵情報、９１７はコンテンツファイルである。
【００３９】
鍵記録媒体９０２とコンテンツ記録媒体９０３は本発明の実施の形態１で説明したいずれの形態であっても構わない。ここでは代表として図４を用いて再生装置の動作を説明する。
【００４０】
動作の流れを図１１にフローチャートで示す。まず、暗号化鍵情報特定手段９１５は鍵記録媒体９０２に記録されている暗号化鍵情報の中から再生すべきコンテンツの暗号化鍵情報を特定する（S１１０１）。この方法としては、暗号化鍵情報の中に含まれているタイトル情報やアルバム情報などからユーザが選択する方法が考えられる。ここでは暗号化鍵情報インデックス３の暗号化鍵情報を特定したとする。暗号化鍵情報特定手段９１５では特定した暗号化鍵情報インデックス３の暗号化鍵情報に含まれるコンテンツ指定子を取り出す（S１１０２）。図４の例では、コンテンツ指定子２４８７０００３が対応付けられている。
【００４１】
次にコンテンツファイル特定手段９１３は、暗号化鍵情報特定手段９１５からコンテンツ指定子２４８７０００３を受け取り、コンテンツ記録媒体９０３に格納されているコンテンツファイルのうちコンテンツ指定子が一致するコンテンツファイル２を特定する（S１１０３）。
【００４２】
次に暗号化鍵特定手段９１４は、暗号化鍵情報インデックス３の暗号化鍵情報に含まれる暗号化鍵がＩｎｖａｌｉｄであることから、暗号化鍵グルーピング情報を用いて同じ暗号化鍵情報グループに含まれる暗号化鍵情報のうち、暗号化鍵がＩｎｖａｌｉｄでないものを検索する（S１１０４、S１１０５）。この場合は暗号化鍵グルーピング情報の値が一致する、暗号化鍵情報インデックス１から３が暗号化鍵情報グループを構成しており、そのうちＩｎｖａｌｉｄでない暗号化鍵を保持している暗号化鍵情報インデックス１の暗号化鍵Ｋ１を特定し、復号手段９１２に暗号化鍵Ｋ１を送る。もし暗号化鍵情報インデックス３の暗号化鍵情報に含まれる暗号化鍵がＩｎｖａｌｉｄではない場合には、それは暗号化鍵を示しており、同じ暗号化鍵情報グループの暗号化鍵を検索する必要はない。
【００４３】
復号手段９１２はコンテンツファイル特定手段９１３から特定した前記コンテンツファイルを取得し、暗号鍵特定手段９１４から受け取った暗号化鍵Ｋ１を用いて復号する（Ｓ１１０６）。復号したコンテンツファイルは再生手段９１１に送られ再生される（Ｓ１１０７）。
【００４４】
なお、本実施の形態の説明では例として図４を用いたが、実施の形態１で説明したどの形態の鍵記録媒体を用いた場合であっても同様である。
【産業上の利用可能性】
【００４５】
本発明にかかる鍵記録媒体及び再生装置は、コンテンツの著作権保護を実現しつつもコンテンツの編集を行うことができ、さらにコンテンツを別の場所に格納しているにもかかわらず対応関係をとれるようにすることによって、柔軟な格納方式対応した著作権保護データを扱う電子機器やデバイスに適用できる。
【図面の簡単な説明】
【００４６】
【図１】本発明の実施の形態１による鍵記録媒体の構成例を示す概念図
【図２】コンテンツ記録媒体の構成例を示す概念図
【図３】鍵記録媒体とコンテンツ記録媒体の実際の値の例を示す概念図
【図４】暗号化鍵グルーピング情報の値を示した鍵記録媒体とコンテンツ記録媒体の例を示す概念図
【図５】暗号化鍵有効ビットを示した鍵記録媒体とコンテンツ記録媒体の例を示す概念図
【図６】次の暗号化鍵情報インデックスを示した鍵記録媒体とコンテンツ記録媒体の例を示す概念図
【図７】次の暗号化鍵情報インデックスと前の暗号化鍵情報インデックスを示した鍵記録媒体とコンテンツ記録媒体の例を示す概念図
【図８】本発明の実施の形態２による鍵記録媒体とコンテンツ記録媒体にアクセスし再生する再生装置の例を示すブロック図
【図９】本発明の実施の形態３による鍵記録媒体とコンテンツ記録媒体にアクセスし再生する再生装置の例を示すブロック図
【図１０】再生装置がコンテンツファイルを再生する場合のフローチャート
【図１１】再生装置がコンテンツファイルを再生する場合のフローチャート
【符号の説明】
【００４７】
８０１    再生装置
８０２    鍵記録媒体
８０３    コンテンツ記録媒体
８１１    再生手段
８１２    復号手段
８１３    コンテンツファイル特定手段
８１４    暗号化鍵特定手段
８１５    暗号化鍵情報特定手段
８１６    暗号化鍵情報
８１７    コンテンツファイル
９０１    再生装置
９０２    鍵記録媒体
９０３    コンテンツ記録媒体
９１１    再生手段
９１２    復号手段
９１３    コンテンツファイル特定手段
９１４    暗号化鍵特定手段
９１５    暗号化鍵情報特定手段
９１６    暗号化鍵情報
９１７    コンテンツファイル
【図１】
2006197303.tif 000003
【図２】
2006197303.tif 000004
【図３】
2006197303.tif 000005
【図４】
2006197303.tif 000006
【図５】
2006197303.tif 000007
【図６】
2006197303.tif 000008
【図７】
2006197303.tif 000009
【図８】
2006197303.tif 000010
【図９】
2006197303.tif 000011
【図１０】
2006197303.tif 000012
【図１１】
2006197303.tif 000013